(57)【要約】【課題】異常発生箇所の特定および最適な電力遮断処理構成をもつ電源装置を提供する。【解決手段】漏電、電圧、電流異常、温度異常等の各種の動作検出部を電源回路および負荷等、各箇所に設定し、異常監視部が動作検出部からの検出信号に基づいて異常と判定した場合に異常判定処理シーケンスを実行し、この異常判定処理シーケンスにおいて電源装置の電源入力段のリセットスイッチおよび各電源回路の入力段または出力段に設けたスイッチ素子の選択的なＯＮ／ＯＦＦ制御を実行して異常発生箇所の特定処理を実行する構成とした。本構成により、正確な異常発生箇所の特定および通知、さらに異常発生部位に対応した最適な電源遮断処理が可能となり、安全性の高い電源装置が実現される。【選択図】  図１
2004282893.tif 000002
【特許請求の範囲】
【請求項１】
各々が異なる負荷に対する電力供給を行う複数の電源回路を備えた電源装置において、
前記電源装置に対する電力の供給および停止の切り替えを行うリセットスイッチと、
前記複数の電源回路各々に対応して設けられた個々の電源回路に対する電力の供給および停止の切り替えを行う複数のスイッチ素子と、
前記電源装置の複数の位置に設置された異常を検出する複数の動作検出部と、
前記動作検出部からの検出信号に基づいて異常判定処理を実行する異常監視部と、
前記異常監視部からの制御信号に基づいて前記リセットスイッチを駆動するリセットスイッチ駆動部と、
前記異常監視部からのスイッチ素子を特定した制御信号に基づいて前記複数のスイッチ素子を選択的に制御するスイッチ制御回路とを有し、
前記異常監視部は前記動作検出部からの検出信号に基づく異常判定を条件とした異常判定処理シーケンスを実行し、該異常判定処理シーケンスにおいて前記リセットスイッチおよび複数のスイッチ素子を選択的に制御して異常発生箇所を特定するための処理を実行することを特徴とする電源装置。
【請求項２】
前記複数のスイッチ素子は、前記複数の電源回路各々の入力側に設けられたスイッチ素子を含み、
前記異常監視部は、前記動作検出部からの検出信号に基づいて実行する異常判定処理シーケンスにおいて、前記複数の電源回路各々の入力側に構成されたスイッチ素子を選択的に制御して、異常発生に関連する電源回路と異常発生に関連しない電源回路とを判別する処理を実行することを特徴とする請求項１に記載の電源装置。
【請求項３】
前記複数のスイッチ素子は、前記複数の電源回路各々の入力側に設けられたスイッチ素子、および前記複数の電源回路各々の出力側に設けられたスイッチ素子を含み、
前記異常監視部は、前記動作検出部からの検出信号に基づいて実行する異常判定処理シーケンスにおいて、前記複数の電源回路各々の入力側および出力側に構成されたスイッチ素子を選択的に制御し、異常発生箇所が電源回路内であるか、電源回路からの電力供給負荷であるかを判別する処理を実行することを特徴とする請求項１に記載の電源装置。
【請求項４】
前記異常監視部は、前記異常判定処理シーケンスにおいて、識別された異常発生箇所に対する電源供給を遮断するための制御信号を前記リセットスイッチ駆動部および前記スイッチ制御回路の少なくともいずれかに出力し、識別された異常発生箇所に対する電源供給の遮断処理を実行する構成であることを特徴とする請求項１に記載の電源装置。
【請求項５】
前記異常監視部は、前記異常判定処理シーケンスにおいて、識別された異常発生箇所情報を含む異常状態情報を前記負荷としてのコントローラに出力し、該コントローラは異常状態情報に基づく情報出力処理を実行する構成であることを特徴とする請求項１に記載の電源装置。
【請求項６】
前記複数の電源回路は、主電源回路としての通常動作用電源回路と、副電源回路としての待機用電源回路とを含み、
前記待機用電源回路は、通常動作停止時における制御を実行する前記負荷としてのコントローラに対する電力供給を実行するとともに、前記複数の動作検出部、異常監視部、リセットスイッチ駆動部、およびスイッチ制御回路に対する電力供給を行う構成であることを特徴とする請求項１に記載の電源装置。
【請求項７】
前記複数の電源回路の各々は、接続負荷に対する電力供給を実行するとともに、前記複数の動作検出部、異常監視部、リセットスイッチ駆動部、およびスイッチ制御回路に対する電力供給を行う構成であることを特徴とする請求項１に記載の電源装置。
【請求項８】
前記動作検出部は、漏電検出部、電圧検出部、電流検出部のうち少なくとも１つを含む構成であることを特徴とする請求項１に記載の電源装置。
【請求項９】
前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする請求項１に記載の電源装置。
【請求項１０】
前記動作検出部は、温度検出素子、におい検出素子、音検出素子、煙検出素子、径時変化検出素子のいずれかを含む構成であることを特徴とする請求項１に記載の電源装置。
【請求項１１】
前記リセットスイッチは、前記電源装置に対する電力入力部に設けられた構成であることを特徴とする請求項１に記載の電源装置。
【請求項１２】
前記複数のスイッチ素子は、前記スイッチ制御回路からの入力信号に基づく高速応答可能な半導体素子によって構成されていることを特徴とする請求項１に記載の電源装置。
【請求項１３】
前記個々の電源回路に対する電力の供給および停止の切り替えを行う複数のスイッチ素子は、前記スイッチ制御回路からの信号によって動作するとともに、電源装置に接続されたコントローラからの信号によっても動作する構成であることを特徴とする請求項１に記載の電源装置。
【発明の詳細な説明】
【０００１】
【発明の属する技術分野】
本発明は電源装置に関する。特に電源回路の動作状態を監視し、異常の発生を検出した際の入力遮断構成を持つ電源装置に関する。
【０００２】
【従来の技術】
複写機、プリンタ等における電源装置においては、近年、安全性向上の要求が年々厳しくなってきている。電源装置には、従来から発煙発火や感電などの危険に結びつく異常動作に対する保護回路が設けられている。保護回路は、各種の異常を検知して、電源装置の動作停止処理を行ったり、商用電源としての交流電源からの入力をヒューズやリレーで遮断する構成が一般的である。
【０００３】
さらに、特に大きな電力を消費する例えば複写装置、プリンタ、ＦＡＸ、スキャナなどの各種画像処理装置では、感電防止を目的とした漏電対策の要求が高まっている。漏電対策のため、多くの場合、画像処理装置などの機器が設置される設備には漏電ブレーカが取り付けられている。しかし、ブレーカにより各種の情報処理装置の電源を一斉に遮断することは、コンピュータによるネットワーク化が急速に進んだ環境においては、重大なデータ損失を発生させる場合があり好ましくない。そこで、各機器に専用の漏電ブレーカを搭載した構成に対する要求が高まっている。
【０００４】
一方、省エネルギーを目的としたパワーマネジメントを行うために、電源装置を複数搭載し、必要な電力のみを効率よく供給するシステムを搭載した機器が多くなってきている。例えば、複写機、ファクシミリ装置、プリンタなどの画像形成装置においては、通電されているほとんどの時間が待機状態であり、省エネルギーの観点から待機時の電力消費を低減することが大きな課題となっている。
【０００５】
電力消費を低減した画像形成装置の電源構成として、待機時に必要となる負荷例えば画像形成装置の制御を行うコントローラに電力を供給するための第１の電源装置と、モーター等、画像形成処理に必要な駆動系からなる負荷へ電力を供給するための第２の電源装置を個別に設定した構成、すなわち、コントローラに対する電源と、画像形成処理プロセスを実行する機構に対する電源とを別々に設定した構成が提案されている。
【０００６】
このような複数電源構成とした画像形成装置においては、ユーザが、プリント指示を要求した場合、第１の電源、第２の電源の両方から画像形成処理に必要な負荷へ電力が供給される。しかし、ユーザからのプリント指示が無くなると、待機時の電力低減を目的に、第２の電源から負荷（画像形成処理プロセス実行機構）への電力供給を遮断し、コントローラに対する第１の電源装置のみを待機用電源として供給し、ユーザ指示に応じた処理が可能となる。
【０００７】
ちなみに第２の電源装置から負荷への電力供給遮断を実行する構成としては、第１の電源装置によって駆動するスイッチング素子の動作停止や、リレーやＦＥＴ等のスイッチ手段を第１の電源装置によって駆動して入力を遮断する構成が提案されている。さらに待機時の消費電力低減を目的として、待機用電源の効率の向上についても様々な工夫がなされている。
【０００８】
図７を参照して、待機用電源回路及び通常動作用電源さらに定着装置等の交流（ＡＣ）負荷から成る従来の一般的な画像形成装置の電源遮断構成について説明する。
【０００９】
入力端子５００は、漏電ブレーカ５０１、電源スイッチ５０２を介して待機用の電源回路ａ５１１に接続されると共にリレーなどのスイッチ素子５０３、スイッチ素５０４を介してそれぞれ動作用電源回路ｃ５１２と、ＡＣ電力調整回路５１３を介してＡＣ負荷に接続される。
【００１０】
電源回路ａ５１１は、例えば直流電圧Ｖｏｕｔ１をコントローラ５２０など機器の制御回路に供給する。電源回路ｃ５１２は、直流電圧Ｖｏｕｔ２を出力し、駆動系装置などへ電力を供給する。電源スイッチ５０２がＯＮされると漏電ブレーカを介して各電源回路に交流電力が供給され、動作を開始する。
【００１１】
電源回路ａ５１１から出力される直流電圧Ｖｏｕｔ１が機器の制御を行うコントローラ５２０に供給されコントローラが動作を開始する。コントローラ５２０は、機器の動作に応じて信号を出力するが、その内の一つに電源回路ｂ５１２に対する入力電源をＯＮ／ＯＦＦするスイッチ素子５０３や、ＡＣ負荷に電力を供給するＡＣ電力調整回路５１３に対する入力電源をＯＮ／ＯＦＦするスイッチ素子５０４への制御信号出力がある。
【００１２】
コントローラ５２０は、安全性確保や省エネを目的に入力の接続・遮断を行う。例えば、待機時には省エネを目的に待機用電源回路（電源回路ａ５１１）のみの電源入力を接続し、その他への入力を遮断する。また、各種異常状態を異常検出部５２１において監視し、例えば、ＡＣ負荷である定着装置が異常温度上昇となった場合等にスイッチ素子５０４をＯＦＦにすることでＡＣ負荷に対する入力を遮断し、機器の動作を停止する。同時に機器の異常を表示してその情報を記憶し、修理時の参考情報とする。
【００１３】
しかし、昨今、複写機、プリンタ等の装置は、高機能化に伴い、構成がより複雑化しており、従来の異常情報の記録のみでは、充分な異常あるいは故障発生箇所を特定することが困難な場合がある。構成が複雑な装置においては、ユーザばかりでなく、サービスマンでも故障箇所を短時間で発見することは困難となりつつある。故障箇所の特定が困難である場合には、正常箇所と故障箇所を含む大きな部品セットの交換によって対処せざるおえない場合も発生する。
【００１４】
また、従来の電源装置構成においては、様々な省電力型素子の使用により電源装置自体の電力損失は小さくなってきているが、装置の高機能化にともない安全回路における消費電力、漏電ブレーカの電力損失の比率が大きくなってきている。
【００１５】
機器の安全性を監視するために、近年のプリンタ、複写機等の画像処理装置の電源装置における安全回路は近年、様々な機能が付加されており、それに伴い消費電力が増大する傾向にある。このような現状において、さまざまな安全基準を達成するための監視回路および電力遮断等の制御回路を消費電力の増加なしに確保することが課題となってきている。
【００１６】
さらに、商用交流電源を入力とし、コントローラと画像処理部に対する２電源構成を持つ電源装置においては、上述したように、通常動作用の電源回路はスイッチを介して商用交流電源と接続し、コントローラの出力するＯＮ／ＯＦＦ信号によりスイッチを導通／遮断して交流電源の供給／遮断を行っているが、通常動作用の電源回路に何らかの異常が発生して電源回路が正常動作できなくなった場合、商用交流電源が電源回路に入力されつづける危険性がある。
【００１７】
また、コントローラにより何らかの異常検出に基づいて電源入力が遮断された後、ユーザがスイッチを手動により操作して交流電源を強制的に接続した場合、交流電源の過電圧などの異常や電源回路内部の異常が発生しているにもかかわらず、交流電源が入力され、その結果、電源回路のある特定部に電気的ストレスがかかり、故障により発煙・発火に至る可能性がある。
【００１８】
なお、こうした対策として電源装置において、想定されるあらゆる故障に対して必要充分なマージンをもった素子や部品を使用することが考えられるが、この場合、定格負荷容量に対して余裕を持った回路構成となるため、電源装置としてサイズが大きくなり、重量が増え、コストが高くなるという問題が発生する。
【００１９】
また、交流入力段にリセット機能付のスイッチを使うことにより安全対策を講じる構成もあるが、一般的にリセット機能付のスイッチは、プランジャ等により動作させるものであり、その特性上、応答速度がおそく、過電流や発熱などの緊急性の高い異常時には間に合わない危険性があった。
【００２０】
さらに、従来構成においては、異常発生時の各スイッチ素子の一斉遮断処理により、全ての電源回路に対する電力供給を停止して安全性の保持を実現しているものが多いが、このような対処を行うと、異常発生箇所の特定が不十分なまま電源が遮断されるという問題がある。異常発生箇所の特定が不十分なまま電源が遮断されると、異常個所の特定のためにオペレータが検査を行う必要があり、この際、それぞれの回路、負荷に個別に電力を供給させて検査を行うことが必要となる。その結果、故障箇所の特定処理に時間、コストがかかるという問題があった。
【００２１】
【発明が解決しようとする課題】
上述したように、複写機、プリンタ等の装置の高機能化に伴い、従来の異常情報の記録のみでは、異常あるいは故障発生箇所の特定が困難であり、ユーザばかりでなく、サービスマンでも故障箇所を短時間で発見することの困難性が高まってしまう。この結果、例えば修理時に正常箇所と故障箇所を含む大きな部品セットの交換をすることが必要となり、経済的損失を発生させることになる。また、故障箇所が充分特定されないままの対応により、故障、異常が再度発生する可能性も高まってしまう。この場合にはユーザは装置の使用ができないという問題がある。
【００２２】
さらに、複写機・プリンタへの省エネ要求は高まるばかりで、複写機・プリンタにおける待機電力は、さらに減少させるべきであるとされている。しかしながら、現実の機器では電源装置の漏電ブレーカ、その他の安全維持のための監視回路等において、多くの電力を消費しているのが現状であり、安全性などの必要機能を犠牲にせずに漏電ブレーカを含む電源装置の損失を低減することが必須となっている。
【００２３】
また、漏電ブレーカや電力変換装置など、各構成部専用の部品をそれぞれ組み合わせて使用した装置構成とすると、漏電ブレーカと電力変換装置の各々に制御電圧用電源生成回路を構成することが必要となり、コスト面で見ても無駄が発生している。
【００２４】
さらに、上述したように、安全確保のための電源遮断後、異常個所の特定のための検査における処理時間、コストの問題がある。
【００２５】
本発明は、この様な問題に対処するためになされたもので、安全性と省エネ性能の向上を実現するとともに、異常発生時に異常個所の特定処理を自動実行することで、電源遮断後の異常個所の特定処理を省略あるいは簡略化することを可能とした電源装置を提供することを目的とする。
【００２６】
【課題を解決するための手段】
本発明の第１の側面は、各々が異なる負荷に対する電力供給を行う複数の電源回路を備えた電源装置において、前記電源装置に対する電力の供給および停止の切り替えを行うリセットスイッチと、前記複数の電源回路各々に対応して設けられた個々の電源回路に対する電力の供給および停止の切り替えを行う複数のスイッチ素子と、前記電源装置の複数の位置に設置された異常を検出する複数の動作検出部と、前記動作検出部からの検出信号に基づいて異常判定処理を実行する異常監視部と、前記異常監視部からの制御信号に基づいて前記リセットスイッチを駆動するリセットスイッチ駆動部と、前記異常監視部からのスイッチ素子を特定した制御信号に基づいて前記複数のスイッチ素子を選択的に制御するスイッチ制御回路とを有し、前記異常監視部は前記動作検出部からの検出信号に基づく異常判定を条件とした異常判定処理シーケンスを実行し、該異常判定処理シーケンスにおいて前記リセットスイッチおよび複数のスイッチ素子を選択的に制御して異常発生箇所を特定するための処理を実行することを特徴とする電源装置にある。
【００２７】
本構成によれば、異常発生時において、異常監視部が動作検出部からの検出信号に基づく異常判定を条件とした異常判定処理シーケンスを実行して、リセットスイッチおよび複数のスイッチ素子の選択的なＯＮ／ＯＦＦ制御を実行して異常発生箇所の特定処理を実行するので、ユーザまたはオペレータによる異常の発生箇所の検出処理を実行することなく、異常発生箇所の特定が可能となり、最適な電源遮断および異常通知を行うことが可能となる。
【００２８】
さらに、本発明の電源装置の一実施態様において、前記複数のスイッチ素子は、前記複数の電源回路各々の入力側に設けられたスイッチ素子を含み、前記異常監視部は、前記動作検出部からの検出信号に基づいて実行する異常判定処理シーケンスにおいて、前記複数の電源回路各々の入力側に構成されたスイッチ素子を選択的に制御して、異常発生に関連する電源回路と異常発生に関連しない電源回路とを判別する処理を実行することを特徴とする。
【００２９】
本構成によれば、異常発生時に、電源回路に対応して電源入力段に設けられたスイッチ素子の選択的なＯＮ／ＯＦＦ制御による異常判定処理シーケンスを実行するので、異常発生箇所に関連する電源回路の判別をすることが可能となる。
【００３０】
さらに、本発明の電源装置の一実施態様において、前記複数のスイッチ素子は、前記複数の電源回路各々の入力側に設けられたスイッチ素子、および前記複数の電源回路各々の出力側に設けられたスイッチ素子を含み、前記異常監視部は、前記動作検出部からの検出信号に基づいて実行する異常判定処理シーケンスにおいて、前記複数の電源回路各々の入力側および出力側に構成されたスイッチ素子を選択的に制御し、異常発生箇所が電源回路内であるか、電源回路からの電力供給負荷であるかを判別する処理を実行することを特徴とする。
【００３１】
本構成によれば、異常発生時に、複数の電源回路各々の電源入力段および出力段に構成されたスイッチ素子の選択的なＯＮ／ＯＦＦ制御による異常判定処理シーケンスを実行するので、異常発生箇所が電源回路内であるか、電源回路からの電力供給負荷であるかを判別をすることが可能となる。
【００３２】
さらに、本発明の電源装置の一実施態様において、前記異常監視部は、前記異常判定処理シーケンスにおいて、識別された異常発生箇所に対する電源供給を遮断するための制御信号を前記リセットスイッチ駆動部および前記スイッチ制御回路の少なくともいずれかに出力し、識別された異常発生箇所に対する電源供給の遮断処理を実行する構成であることを特徴とする。
【００３３】
本構成によれば、異常発生時に実行する異常判定処理シーケンスにおいて、識別された異常発生箇所に対する電源供給を遮断するように各スイッチを制御するので、異常箇所の判定に基づく最適な電源遮断により、高度な安全性が保持される。
【００３４】
さらに、本発明の電源装置の一実施態様において、前記異常監視部は、前記異常判定処理シーケンスにおいて、識別された異常発生箇所情報を含む異常状態情報を前記負荷としてのコントローラに出力し、該コントローラは異常状態情報に基づく情報出力処理を実行する構成であることを特徴とする。
【００３５】
本構成によれば、異常発生時に実行する異常判定処理シーケンスにおいて、識別された異常発生箇所情報を含む異常状態情報をコントローラに出力し、コントローラによりディスプレイ等に異常状態情報の出力処理を実行するので、ユーザまたはオペレータが異常情報を即座にかつ正確に取得することが可能となる。
【００３６】
さらに、本発明の電源装置の一実施態様において、前記複数の電源回路は、主電源回路としての通常動作用電源回路と、副電源回路としての待機用電源回路とを含み、前記待機用電源回路は、通常動作停止時における制御を実行する前記負荷としてのコントローラに対する電力供給を実行するとともに、前記複数の動作検出部、異常監視部、リセットスイッチ駆動部、およびスイッチ制御回路に対する電力供給を行う構成であることを特徴とする。
【００３７】
本構成によれば、動作検出部、異常監視部、リセットスイッチ駆動部、およびスイッチ制御回路に対する電力供給を行う電力供給部を独立して設けることが不要となり、コストダウンおよび省エネルギーが実現される。
【００３８】
さらに、本発明の電源装置の一実施態様において、前記複数の電源回路の各々は、接続負荷に対する電力供給を実行するとともに、前記複数の動作検出部、異常監視部、リセットスイッチ駆動部、およびスイッチ制御回路に対する電力供給を行う構成であることを特徴とする。
【００３９】
本構成によれば、動作検出部、異常監視部、リセットスイッチ駆動部、およびスイッチ制御回路に対する電力供給を行う電力供給部を独立して設けることが不要となり、コストダウンおよび省エネルギーが実現される。
【００４０】
さらに、本発明の電源装置の一実施態様において、前記動作検出部は、漏電検出部、電圧検出部、電流検出部のうち少なくとも１つを含む構成であることを特徴とする。
【００４１】
本構成によれば、漏電検出、電圧検出、電流検出等に基づく異常検出を確実に判定可能となり、安全性を高めた電源装置が実現される。
【００４２】
さらに、本発明の電源装置の一実施態様において、前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする。
【００４３】
本構成によれば、電圧検出、電流検出等に基づく異常検出を電源回路毎に判定可能となり、電源回路個別の対応が可能となる。
【００４４】
さらに、本発明の電源装置の一実施態様において、前記動作検出部は、温度検出素子、におい検出素子、音検出素子、煙検出素子、径時変化検出素子のいずれかを含む構成であることを特徴とする。
【００４５】
本構成によれば、各電源回路および負荷の構成に応じて最適な異常検出処理および安全対策が可能となる。
【００４６】
さらに、本発明の電源装置の一実施態様において、前記リセットスイッチは、前記電源装置に対する電力入力部に設けられた構成であることを特徴とする。
【００４７】
本構成によれば、異常発生時に電源装置に対する入力を大元から遮断可能となり、より安全な電力遮断が実現される。
【００４８】
さらに、本発明の電源装置の一実施態様において、前記複数のスイッチ素子は、前記スイッチ制御回路からの入力信号に基づく高速応答可能な半導体素子によって構成されていることを特徴とする。
【００４９】
本構成によれば、各電源回路個別の電力供給ストップを高速に実施でき、異常検出から異常部位に対する電力供給停止を即座に実行可能となる。
【００５０】
さらに、本発明の電源装置の一実施態様において、前記個々の電源回路に対する電力の供給および停止の切り替えを行う複数のスイッチ素子は、前記スイッチ制御回路からの信号によって動作するとともに、電源装置に接続されたコントローラからの信号によっても動作する構成であることを特徴とする。
【００５１】
本構成によれば、コントローラ側の監視プログラムの処理も併せて実行され、より強固な監視および安全対策が可能となる。
【００５２】
【発明の実施の形態】
以下、本発明の電源装置の詳細について図面を参照しながら説明する。
【００５３】
［電源装置構成例］
図１は、本発明の実施例に係る電源装置の構成を示すブロック図である。この実施の形態の電源装置は、例えば複写機、プリンタ等の画像形成装置に内蔵される。
【００５４】
画像形成装置の入力端子１０１は、交流電源に接続されている。交流電源は、電源装置１１０に構成された複数の電源回路、すなわち主電源回路としての通常動作用電源回路である電源回路ｂ１１２と、副電源回路としての待機用電源回路である電源回路ａ１１１、さらに定着装置等の負荷に対する電源回路である電源回路ｃ１１３に供給され、これらの電源回路を介して様々な負荷に対する電力が供給される。
【００５５】
図１に示す電源装置は、省エネルギーを目的としたパワーマネジメントを行うために、電源装置を複数搭載した構成である。電源回路ａ（待機用電源）１１１は、コントローラ１０３等に対する電力供給を行う副電源回路である。電源回路ｂ（通常動作用電源）１１２は、画像形成処理プロセスを実行する画像処理部に対する電力供給を行う主電源回路である。さらに電源装置１１０は、定着装置等に電力を供給するＡＣ電力調整回路としての機能を持つ電源回路ｃ１１３を有する。
【００５６】
これら各電源回路を介して各負荷（図示せず）に電力が供給される。電源回路ａ（待機用電源）１１１の出力部にはリレー、ＦＥＴ等によって構成された半導体素子としてのスイッチ（ＳＷ５）１５１が接続され、スイッチ（ＳＷ５）１５１のＯＮ時にコントローラ等の制御系負荷１６１に対して電力が供給される。
【００５７】
電源回路ｂ（通常動作用電源）１１２の出力部にも、リレー、ＦＥＴ等によって構成された半導体素子としてのスイッチ（ＳＷ６）１５２が接続され、スイッチ（ＳＷ６）１５２のＯＮ時にモータ等の駆動系負荷１６２に対して電力が供給される。
【００５８】
例えばユーザが、プリント指示を要求した場合、第１の電源、すなわち電源回路ａ（待機用電源）１１１と、第２の電源、すなわち電源回路ｂ（通常動作用電源）１１２、および電源回路ｃ１１３から画像形成処理に必要な負荷へ電力を供給し、ユーザからの指示が無くなると、待機時の電力低減を目的に、第２の電源（電源回路ｂ（通常動作用電源）１１２）から負荷への電力供給、電源回路ｃ１１３から負荷への電力供給を遮断し、第１の電源（電源回路ａ（待機用電源）１１１）のみに電力を供給しコントローラ等の制御系負荷１６１に対してのみ通電する。
【００５９】
電源回路ｂ（通常動作用電源）１１２、電源回路ｃ１１３の負荷への電力供給遮断処理は、第１の電源（電源回路ａ（待機用電源）１１１）から電力の供給されるコントローラ１０３の出力する信号に基づいて、リレーやＦＥＴ等のスイッチ手段からなるスイッチ素子１１５，１１６をオフする処理によって実行される。
【００６０】
本発明の電源装置は、動作検出部１２０において各種の動作状態、異常状態を検出し、異常監視部１３２において、動作検出部１２０からの監視情報を入力し、入力情報に基づいてリセットスイッチ駆動回路１３１からの出力をリセットスイッチ（ＳＷ１）１０２に入力して、交流電源を遮断する処理と、異常監視部１３２において、動作検出部１２０からの監視情報を入力し、入力情報に基づいてスイッチＯＮ／ＯＦＦ回路（スイッチ制御回路）１３３からの出力を各電源回路の電力入力段に設けられたスイッチ素子（ＳＷ２〜ＳＷ４）１１４〜１１６、さらに、各電源回路の電力出力段に設けられたスイッチ素子（ＳＷ５，ＳＷ６）１５１，１５２に入力して、各電源回路の電力入力段または各電源回路の電力出力段を遮断する処理を実行する。
【００６１】
これらの各スイッチの遮断処理シーケンスについては後述するが、本発明の構成においては、異常発生箇所の特定処理を実行しながら、各スイッチの遮断処理を行う異常判定処理シーケンスを実行する構成を持つ。これらの処理の詳細については後述する。
【００６２】
動作検出部１２０は、図に示すように、漏電検出部１２１、電圧検出部１２３、電流検出部１２２、異常検出部１２４を含む構成であり、これらの検出部、少なくとも電圧検出部１２３、電流検出部１２２、異常検出部１２４は、複数の電源回路１１１，１１２，１１３または電源回路から電力の供給される負荷に対応して個別に複数設定される。
【００６３】
異常監視部１３２は、動作検出部１２０からの入力信号に基づいて異常発生部位を判定し、判定した異常発生部位に基づいて、リセットスイッチ（ＳＷ１）１０２または、複数のスイッチ素子（ＳＷ２〜ＳＷ５）１１４，１１５，１１６，１５１，１５２のいずれかを選択的に動作させる制御信号をリセットスイッチ駆動回路１３１、またはスイッチＯＮ／ＯＦＦ回路１３３に出力する。なお、異常検出部１２４は、温度検出素子、におい検出素子、音検出素子、煙検出素子、素子の径時変化状態を検出する径時変化検出素子等によって構成され、各異常の発生可能性のある部位に取り付けられる。
【００６４】
動作検出部１２０、異常監視部１３２、リセットスイッチ駆動回路１３１、およびスイッチＯＮ／ＯＦＦ回路１３３に対する電力は、電源回路ａ（待機用電源）１１１のＤＣ出力部から供給される。
【００６５】
また、本実施例の構成は、電源回路ａ（待機用電源）１１１のＤＣ出力部のみならず、電源回路ｂ（通常動作用電源）１１２のＤＣ出力部、および電源回路ｃ１１３のＡＣ出力部から整流用ダイオード１４１，１４２，１４３を介して動作検出部１２０、異常監視部１３２、リセットスイッチ駆動回路１３１、スイッチＯＮ／ＯＦＦ回路１３３に対する電力供給を可能とした構成を持つ。
【００６６】
従って、電源回路ａ（待機用電源）１１１が故障しても、電源回路ｂ（通常動作用電源）１１２のＤＣ出力、あるいは電源回路ｃ１１３のＡＣ出力に基づいて動作検出部１２０、異常監視部１３２、リセットスイッチ駆動回路１３１、スイッチＯＮ／ＯＦＦ回路１３３を動作させることが可能となり、信頼性を高め冗長性をあげることが可能となる。
【００６７】
従来の電源装置においては、例えば漏電検出部に対しては、入力電圧から直接電力を常時供給する構成が一般的であったが、本構成においては、電源回路ａ（待機用電源）１１１のＤＣ出力部等から電力を供給する構成としたので、漏電検出部他の動作検出および異常監視部等に対する独立した電力供給構成を持つことなく、構成の簡素化、および電力損失の大幅な削減が可能となる。
【００６８】
次に、図１に示す電源装置１１０の内部構成を説明する。動作検出部１２０には、図に示すように漏電検出部１２１、電流検出部１２２、電圧検出部１２３、温度検出など異常を検出する異常検出部１２４が設けられている。以下、各検出部について説明する。
【００６９】
漏電検出部１２１は、１次回路に感電の危険となる漏れ電流が発生しているか否かを検出する回路である。電源回路に供給されるＡＣ電源の行きの電流と帰りの電流との電流差（例えば、人が活電部に触れることによって生じた漏れ電流が電流差になる）を零相変流器（ＺＣＴ）で検知し、更に異常監視部における増幅器（ＡＭＰ）で増幅し、ある基準を超えた時に異常漏電と判断する。
【００７０】
漏電検出信号は、異常監視部１３２に入力され、異常監視部１３２は、リセットスイッチ駆動回路１３１に制御信号を出力し、リセットスイッチ駆動回路１３１が、リセットスイッチ（ＳＷ１）１０２を制御（ＯＮ／ＯＦＦ）して、必要に応じてＯＦＦとして、交流電源の入力を遮断する。
【００７１】
各電源回路の入力段あるいは出力段のスイッチ素子１１４，１１５，１１６，１５１，１５２もＯＦＦすることにより、リセットスイッチ１０２をＯＦＦするだけよりも速断性を増すことができ、安全性を向上することができる。リセットスイッチ（ＳＷ１）１０２は例えばプランジャの動作により接続を遮断する構成であるため、異常監視部１３２からの出力信号をリセットスイッチ駆動回路１３１が受信してから、実際にリセットスイッチ１０２が動作して入力が遮断するまでに時間を要するが、各電源回路の入力段および出力段のスイッチ素子（ＳＷ２）１１４、スイッチ素子（ＳＷ３）１１５、スイッチ素子（ＳＷ４）１１６、スイッチ素子（ＳＷ５）１５１、スイッチ素子（ＳＷ６）１５２は、リレーやＦＥＴ等のスイッチ手段からなり、異常監視部１３２からの出力信号をスイッチＯＮ／ＯＦＦ回路１３３が受信してから、実際に各スイッチ素子１１４，１１５，１１６，１５１，１５２をオフするまでの期間が短くて済み、異常検出後、即座に各電源回路への入力電源または出力を遮断することができる。
【００７２】
電圧検出部１２３は、電源回路への入力電圧を検出し、予め定められたある基準値を超えた時に過電圧と判断し、異常監視部１３２は、リセットスイッチ駆動回路１３１に制御信号を出力し、リセットスイッチ駆動回路１３１が、リセットスイッチ（ＳＷ１）１０２を制御して必要に応じてＯＦＦとして、交流電源の入力を遮断する。
【００７３】
これらの各スイッチの遮断処理は、一定のシーケンスに従った異常判定処理を伴って実行される。これらの処理については後述する。
【００７４】
各電源回路の入力段のスイッチ素子もＯＦＦすることにより、リセットスイッチをＯＦＦするだけよりも速断性を増すことができるのは漏電遮断と同様である。
【００７５】
なお、電圧検出部１２３は、電源回路の異常時に電圧が上昇する可能性のある各部分に設けられる。例えば電源回路ａ（待機用電源）１１１、電源回路ｂ（通常動作用電源）１１２、あるいは電源回路ｃ１１３の各出力部に設けることで、それぞれの電源回路の出力異常を個別に判断し、異常である電源回路の入力部または出力部に設けたスイッチ素子１１４，１１５，１１６，１５１，１５２のいずれかをＯＦＦし、各電源回路への交流電源または出力を選択的に遮断することが可能となる。
【００７６】
電流検出部１２２は、異常時に電流が増加する可能性のある回路分の電流を検出し、異常検出部１２４は、例えば電源回路の異常時に温度が上昇する素子の温度を検出し、検出信号を入力する異常監視部１３２に検出信号を入力する。
【００７７】
異常監視部１３２に異常検出信号が入力された場合に、異常監視部１３２は、リセットスイッチ駆動回路１３１に制御信号を出力し、リセットスイッチ駆動回路１３１が、リセットスイッチ（ＳＷ１）１０２を制御して必要に応じてＯＦＦとして、交流電源の入力を遮断する。あるいは、異常監視部１３２は、スイッチＯＮ／ＯＦＦ回路１３３に制御対象のスイッチ素子を特定した制御信号を出力し、スイッチＯＮ／ＯＦＦ回路１３３が異常監視部１３２からのスイッチ素子を特定したＯＮ／ＯＦＦ制御信号に基づいて各電源回路入力段の複数のスイッチ素子（ＳＷ２〜ＳＷ４）１１４，１１５，１１６を選択的に動作（ＯＦＦまたはＯＮ）させ、必要に応じて各電源回路への電源入力を遮断する。
【００７８】
さらに、異常監視部１３２は、スイッチＯＮ／ＯＦＦ回路１３３に制御対象のスイッチ素子を特定した制御信号を出力し、スイッチＯＮ／ＯＦＦ回路１３３が、各電源回路の出力段に設けたスイッチ素子（ＳＷ５，ＳＷ６）１５１、１５２を選択的に動作（ＯＦＦまたはＯＮ）させ、電源回路ａ（待機用電源）１１１、電源回路ｂ（通常動作用電源）１１２の負荷への出力を必要に応じて遮断または接続する。
【００７９】
これらの各スイッチの遮断処理は、一定のシーケンスに従って異常判定処理を伴って実行される。これらの処理については後述する。
【００８０】
なお、電流検出部１２２、異常検出部１２４も、上述の電圧検出部１２３と同様、電流値異常、あるいは温度上昇等の異常が発生する可能性のある各部分に設けられる。例えば電源回路ａ（待機用電源）１１１、電源回路ｂ（通常動作用電源）１１２、電源回路ｃの各出力部に設けることで、それぞれの電源回路の異常を個別に判断し、異常である電源回路の入力部に設けたスイッチ素子１１４，１１５，１１６または出力段のスイッチ素子１５１，１５２を選択してＯＦＦし、各電源回路または出力を選択的に遮断することが可能となる。
【００８１】
なお、異常監視部１３２において異常と判断された場合は、コントローラ１０３に対して異常警報を出力する。すなわち、異常監視部１３２によって判定された異常発生部位情報を含む異常情報をコントローラ１０３に出力する。コントローラ１０３は入力情報に基づいてディスプレイ１０４に異常状態の発生を示すメッセージ出力等を実行する。また、コントローラ１０３は、異常警報入力に基づいて、各スイッチの駆動信号を出力し、各スイッチのＯＮ／ＯＦＦ制御を実行してもよい。
【００８２】
なお、コントローラ１０３自身が持つ安全監視プログラムに基づいて、各スイッチの駆動信号を出力して各電源回路に対する電力供給を停止することも可能である。
【００８３】
なお、リセットスイッチ駆動回路１３１を駆動させて電源装置１１０に対する電力を全体的に遮断するか、スイッチＯＮ／ＯＦＦ回路１３３を駆動させて、スイッチ素子１１４，１１５，１１６，１５１，１５２を遮断するかは選択的に実行可能であり、いずれを動作させるかは検出した異常の内容および異常の発生場所に基づいてあらかじめ定められたシーケンスに従って異常監視部１３２において判断され、判断に基づく制御が実行される。具体的な処理シーケンスの例については後述する。
【００８４】
なお、異常検出部１２４は、上述の温度検出のみならず、半導体破損や定着装置などの温度異常による異臭を検知するにおい検知回路や、半導体などが破損するときに発せられる破裂音を検知する音検知回路、電気部品などが故障により発熱し発生する煙を検知する煙検知回路などによって構成され、各異常の発生可能性のある部位にそれぞれの異常検出素子が設置される。また、機器が寿命に達したときに異常として入力を遮断するために、異常監視部の判定を、使用時間に伴って上昇する様々な特性を検知して異常と判断しても良い。例えば部品の温度上昇速度が寿命ともに加速する部品（電解コンデンサなど）の温度検知値をメモリーして上昇速度が速くなったら異常と判定し、異常判定に基づいてリセットスイッチ１０２または、スイッチ素子１１４，１１５，１１６，１５１，１５２を動作させる構成としてもよい。
【００８５】
図１に示す構成により、様々な異常の発生した電源回路への電源供給を継続的に停止することができる。本構成によれば、電源回路での異常発生時に電源供給を確実に停止できるので、電源回路においては、定格負荷容量を越えた負荷容量に対応する回路構成とすることなく、定常負荷に対して最適である素子や部品を選定するだけで済みコストダウンが実現される。さらにプランジャによって動作するリセットスイッチ１０２のみならず、リレーやＦＥＴ等のスイッチ手段からなる各電源回路の入力段のスイッチ素子１１４，１１５，１１６，１５１，１５２のオフ処理により各電源回路の入力を遮断する構成であるため、異常発生からの電力遮断までの時間を短縮することが可能であり、また、異常個所に応じて選択的に電源回路ａ（待機用電源）１１１または電源回路ｂ（通常動作用電源）１１２）または電源回路ｃ１１３への交流電源遮断あるいは各電源回路の出力を遮断することが可能となる。
【００８６】
また、必要に応じて異常監視部１３２にタイマー回路を内蔵して、漏電検出部１２１、電圧検出部１２３、電流検出部１２２、異常検出部１２４からそれぞれ送られる異常信号の示す値が通常値を継続的に逸脱している期間を測定し、その測定された期間が所定の期間以上に達したとき、異常と判断し、異常のある回路を判断して、異常のある回路に接続されたスイッチ素子１１４，１１５，１１６，１５１，１５２のいずれかをスイッチＯＮ／ＯＦＦ回路１３３によって動作（ＯＦＦ）させて、異常のある回路に対する電力供給を遮断、あるいはリセットスイッチ駆動回路１３１を動作させてリセットスイッチ１０２をＯＦＦし、入力を遮断する構成としてもよい。本構成によれば、電源装置の起動時等に発生する過渡状態に起因する電源異常の誤検知を防止することができる。
【００８７】
本構成によれば、コントローラ１０３や図示しない駆動回路など電源回路ａ（待機用電源）１１１または電源回路ｂ（通常動作用電源）１１２、または電源回路ｃ１１３、それぞれに接続された各負荷において異常が発生した場合も、動作検出部１２０の検出素子をそれぞれに配置することで、各位置の異常が容易に検出可能であり、このような異常時にも入力電源遮断を行うことが、または異常のある回路に対する電力供給遮断が可能となり、より高い安全性が確保される。
【００８８】
［回路構成例］
図２は、上述した実施例における電源装置の回路構成を具体化して示した図である。電源回路ａ３１０は、高周波成分を除去する入力フィルタ回路３１１、入力信号の整流平滑処理を行う１次整流平滑回路３１２、トランス３１３、トランス出力制御のための制御信号、例えばパルス幅信号を出力する制御回路３１４、トランス３１３の一次側のスイッチング処理を実行するスイッチング素子３１５、およびトランス２次側において出力信号の整流平滑処理を行う２次整流平滑回路３１６を有する。２次整流平滑回路３１６の後段にスイッチ素子（ＳＷ５）３７５を介してコントローラ等の制御系負荷３８１が接続される。
【００８９】
電源回路ｂ３２０も電源回路ａ３１０と同様の構成であり、電源回路ｂ３２０の出力段には、スイッチ素子（ＳＷ６）３７６を介してモータ等の駆動系負荷３８２が接続される。
【００９０】
スイッチ素子（ＳＷ５）３７５、スイッチ素子（ＳＷ６）３７６は、各電源回路３１０，３２０，３３０の前段に設けられたスイッチ素子（ＳＷ１〜ＳＷ３）３７２，３７３，３７４と同様、リレー、ＦＥＴ等の半導体スイッチであり、スイッチＯＮ／ＯＦＦ回路３５６からの制御信号および図示しないコントローラからの制御信号によってＯＮ／ＯＦＦ制御がなされる。
【００９１】
リセットスイッチ（ＳＷ１）３７１は、入力端子３０１の後段、すなわち、電源装置の入力段に設けられ、リセットスイッチ駆動回路３５１からの制御信号によってＯＮ／ＯＦＦ制御が実行される。
【００９２】
漏電検出部３５２は、リセットスイッチ（ＳＷ１）３７１の前段もしくは後段に零相変流器（ＺＣＴ）３０３を設置し、交流入力電流の行きと帰りの電流の差を漏電検出部３５２にて検出し、その差があるレベル以上になった時に異常監視部３５５にて漏電と判断する。漏電と判断した場合、異常監視部３５５からリセットスイッチ駆動回路３５１に信号を送りリセットスイッチ（ＳＷ１）３７１をＯＮ／ＯＦＦ制御し、リセットスイッチ駆動回路３５１を駆動させて電源装置に対する電力を全体的に遮断するか、スイッチＯＮ／ＯＦＦ回路３５６を駆動させて、スイッチ素子（ＳＷ２〜ＳＷ６）３７２〜３７６を遮断するかは選択的に実行可能であり、いずれを動作させるかは検出した異常の内容および異常の発生場所に基づいてあらかじめ定められたシーケンスに従って異常監視部３５５が判断し、判断に基づく制御が実行される。この処理の詳細については、後述する。
【００９３】
電流検出部３５３は、入力電流をカレントトランス３５７により検出し、異常監視部３５３に検出値を入力し、異常監視部３５３が異常な電流であるかを判断する。異常と判断した場合、異常監視部３５３からリセットスイッチ駆動回路３５１に信号を送り、各電源回路３１０，３２０，３３０の入力段および出力段に設けたスイッチ素子（ＳＷ２〜ＳＷ６）３７２〜３７６のＯＮ／ＯＦＦ制御を実行して、異常判定を実行し、必要に応じていずれかのスイッチを選択的にＯＦＦし、入力を遮断する。
【００９４】
このようにカレントトランス３５７により、瞬時的な異常電流を捕らえて入力を遮断する方法と同時に、異極のＡＣ入力ラインにサーキットブレーカ３０４を設置することで実効的（熱的）な過電流においては、サーキットブレーカ３０４を動作させ入力を遮断することができる。この２つの電流遮断方法により様々な電流異常に対して対応することが可能となる。
【００９５】
電圧検出部３５４は、例えば電源回路ａ３１０に対するＡＣ入力電圧を整流平滑する一次整流平滑回路３１２の平滑電圧を検出し、異常監視部３５５において異常な過電圧であるかを判断する。異常の場合、異常監視部３５５からリセットスイッチ駆動回路３５１に信号を送り、リセットスイッチ（ＳＷ１）３７１をＯＮ／ＯＦＦ制御し、リセットスイッチ駆動回路３５１、漏電検出部３５２、電流検出部３５３、電圧検出部３５４、異常監視部３５５、スイッチＯＮ／ＯＦＦ回路３５６の動作電圧は電源回路ａ３１０におけるトランス３１３の一次側から供給される。これは、トランス３１３の一次側で制御回路３１４の動作電圧として生成するＤＣ電圧を使用可能である。あるいは、トランス３１３を利用して新たなＤＣ電圧を生成して供給する構成としてもよい。なお、これらの各部に対する電力は、電源回路ａ３１０からのみならず、電源回路ｂ３２０、電源回路ｃ３３０からも供給する構成としてもよい。
【００９６】
図３は、異常監視部、リセットスイッチ駆動回路、リセットスイッチの具体的回路構成例を示す図である。
【００９７】
漏電検出部における漏電検知時には零相変流器３０３に誘起される電圧がダイオード４２１、抵抗４２２を介してオペアンプ（ｏｐ  ａｍｐ１）４１１に入力され、オペアンプ（ｏｐ  ａｍｐ１）４１１に設定された閾値を超えるとオペアンプ（ｏｐ  ａｍｐ１）４１１の出力によりフォトカプラ４１２がＯＮしてリセットスイッチ（ＳＷ１）３７１のコイル４１３を動作させてＡＣ入力を遮断する。
【００９８】
電流検出部における過電流検知時にはカレントトランス３５７に誘起される電圧がダイオード４４１、抵抗４４２を介してオペアンプ（ｏｐ  ａｍｐ２）４３１に入力され、オペアンプ（ｏｐ  ａｍｐ２）４３１に設定された閾値を超えるとオペアンプ（ｏｐ  ａｍｐ２）４３１の閾値を超えるとオペアンプ（ｏｐ  ａｍｐ２）４３１の出力によりフォトカプラ４１２がＯＮしてリセットスイッチ（ＳＷ１）３７１のコイル４１３を動作させてＡＣ入力を遮断する。
【００９９】
電圧検出部における過電圧検知時の処理は以下の通りである。電源回路ａ３１０内部の一時整流平滑回路３１２により整流した電圧が規定より高いときにツェナーダイオード４５１が動作してフォトカプラ４５２がＯＮしてリセットスイッチ（ＳＷ１）３７１のコイル４１３を動作させてＡＣ入力を遮断する。
【０１００】
なお、図３にはリセットスイッチ（ＳＷ１）３７１の動作構成のみを示してあるが、各電源回路の入力段および出力段に設けられるリレー、ＦＥＴ等のスイッチ素子（ＳＷ２〜ＳＷ６）の動作制御は、各動作検出部からの信号に基づいて異常監視部が出力する出力信号をスイッチＯＮ／ＯＦＦ回路が受信し、スイッチＯＮ／ＯＦＦ回路が受信信号に基づいて各スイッチ素子の駆動信号を出力する制御シーケンスに従って実行される。
【０１０１】
［処理シーケンス］
次に、本発明の電源装置の動作について、図４から図６のフローチャートを参照して説明する。図４は、本発明の電源装置の立ち上げから電源回路からの電力供給に基づく処理（プリント処理）を実行する場合の処理手順を示すフローである。図５および図６は、異常判定処理の手順を示すフローである。以下のフローの説明においては、図１の構成を参照しながら説明する。
【０１０２】
まず、図４の電源装置の立ち上げから処理の実行に関する処理手順について説明する。ステップＳ１０１において、リセットスイッチ（ＳＷ１）１０２（図１参照）をＯＮする。これは、ユーザによって手動で処理される。ステップＳ１０２において、電源回路ａ（待機用電源）１１１に電力が供給される。なお、スイッチ素子（ＳＷ２）１１４、およびスイッチ素子（ＳＷ５）１５１は、通常状態（デフォルト）でＯＮ状態に設定されている。
【０１０３】
ステップＳ１０３において、電源回路ａ１１１から電力が制御系負荷１６１であるコントローラ１０３に供給され、コントローラ１０３が立ち上げられる。ステップＳ１０４において、コントローラ１０３からの信号が出力され、スイッチ素子（ＳＷ３）１１５およびスイッチ素子（ＳＷ６）１５２がＯＮとなり、ステップＳ１０５において、電源回路ｂ（通常動作用電源）１１２および駆動系負荷１６２に対して電力が供給される。
【０１０４】
ステップＳ１０６において、コントローラ１０３からの信号が出力され、スイッチ素子（ＳＷ４）１１６がＯＮとなり、ステップＳ１０７において、定着装置等に電力供給回路である電源回路ｃ１１３に対して電力が供給される。
【０１０５】
ステップＳ１０８においてプリント開始がなされたか否かが判定され、電源回路ｃ１１３を介して各プリント処理部に対する電力が供給されてプリント動作が実行される。ステップＳ１１０において、プリント完了と判定すると、ステップＳ１０８に戻る。
【０１０６】
ステップＳ１０８において、プリントが開始されない場合は、ステップＳ１１１に進み待機状態に移行するか否かを判定する。判定処理は、予め定められた時間、非動作状態が継続した場合に待機状態に移行するとの判定処理としてコントローラ１０３が実行する。待機状態に移行する場合は、ステップＳ１１２に進み、電源回路ｃ１１３の前段に設けられたスイッチ素子（ＳＷ４）１１６をコントローラ１０３からの信号に基づいてＯＦＦして、ステップＳ１１３において、電源回路ｃ１１３に対する電力供給を停止する。
【０１０７】
さらに、ステップＳ１１４において、電源回路ｂ（通常動作用電源）１１２の前段に設けられたスイッチ素子（ＳＷ３）１１５をＯＦＦし、ステップＳ１１５において、電源回路ｂ（通常動作用電源）１１２に対する電力供給を停止する。ステップＳ１１６では、復帰信号の有無を判定し、復帰信号があった場合は、ステップＳ１０４に進み、電源回路ｂ（通常動作用電源）１１２の前段に設けられたスイッチ素子（ＳＷ３）１１５をＯＮし、以下ステップＳ１０５以下を繰り返し実行する。復帰信号は、コントローラが、例えばプリント開始等のユーザ入力に基づいてコントローラ内部で発生する信号である。
【０１０８】
次に、図５および図６を参照して本発明の電源装置において実行する異常判定処理の手順について説明する。本フローも上述のフローと同様、図１を参照して説明する。
【０１０９】
ステップＳ２０１において、異常監視部１３２が動作検出部１２０からの入力に基づいて異常の有無および位置を判定する。なお、上述した実施例中でも説明したように、過電圧、過電流、温度上昇等の異常検出部は、電源装置の各部に設けられており、異常監視部は、各異常検出部からの入力に基づいて異常発生箇所を判定する。
【０１１０】
ステップＳ２０１では、まず、漏電の発生の有無が判定される。漏電状態にないと判定されると、ステップＳ２０２に進む。漏電状態にあると判定されると、ステップＳ３０１（図６）に進む。ステップＳ３０１以下の処理については、後段で説明する。
【０１１１】
漏電状態でないと判定されステップＳ２０２に進むと、ステップＳ２０２において入力過電圧の異常であるか否かが判定される。これは、電源装置の入力部の電圧検出部の検出信号に基づいて異常監視部１３２が判定する。
【０１１２】
ステップＳ２０２において入力過電圧の異常であると判定すると、ステップＳ２２１に進み、異常監視部１３２は、コントローラ１０３に対して異常状態情報、すなわち入力電源異常であることを示す情報を出力し、コントローラ１０３が入力情報に基づいてディスプレイ１０４に異常情報、すなわち入力電源異常であることを示す情報を表示する。
【０１１３】
次にステップＳ２２２において、異常監視部１３２は、リセットスイッチ駆動回路１３１に制御信号を出力し、リセットスイッチ駆動回路１３１がリセットスイッチ（ＳＷ１）１０２をオフとする。
【０１１４】
ステップＳ２０２において入力過電圧の異常でないと判定すると、ステップＳ２０３に進み、異常監視部１３２は、電源回路ｂ１１２および電源回路ｃ１１３の前段のスイッチ素子（ＳＷ３）１１５、スイッチ素子（ＳＷ４）１１６をオフする制御信号をスイッチＯＮ／ＯＦＦ回路１３３に対して出力し、スイッチＯＮ／ＯＦＦ回路１３３は、制御信号に基づいて、電源回路ｂ１１２および電源回路ｃ１１３の前段のスイッチ素子（ＳＷ３）１１５、スイッチ素子（ＳＷ４）１１６をオフとする。
【０１１５】
ステップＳ２０４では、この状態で異常が継続しているか否かを判定する。この異常判定は、動作検出部１２０からの検出信号を入力する異常監視部１３２が入力する各検出信号に基づいて判定する。
【０１１６】
ステップＳ２０４で異常が継続していると判定した場合は、ステップＳ２３１に進む。ステップＳ２３１では、異常監視部１３２が、電源回路ａ１１１の出力段のスイッチ素子（ＳＷ５）１５１をオフする制御信号をスイッチＯＮ／ＯＦＦ回路１３３に対して出力し、スイッチＯＮ／ＯＦＦ回路１３３は、制御信号に基づいて、電源回路ａ１１１の出力段のスイッチ素子（ＳＷ５）１５１をオフとする。
【０１１７】
ステップＳ２３２では、この状態で異常が継続しているか否かを判定する。この異常判定は、動作検出部１２０からの検出信号を入力する異常監視部１３２が入力する各検出信号に基づいて判定する。
【０１１８】
異常が継続していると判定した場合は、ステップＳ２５１に進む。ステップＳ２５１では、異常監視部１３２は、コントローラ１０３に対して異常状態情報、すなわち待機電源、すなわち電源回路ａ１１１の異常であることを示す情報を出力し、コントローラ１０３が入力情報に基づいてディスプレイ１０４に異常情報、すなわち待機電源異常であることを示す情報を表示する。
【０１１９】
次にステップＳ２５２において、異常監視部１３２は、電源回路ａ１１１の入力段のスイッチ素子（ＳＷ２）１１４をオフする制御信号をスイッチＯＮ／ＯＦＦ回路１３３に対して出力し、スイッチＯＮ／ＯＦＦ回路１３３は、制御信号に基づいて、電源回路ａ１１１の入力段のスイッチ素子（ＳＷ２）１１４をオフとする。
【０１２０】
ステップＳ２３２で異常が継続していないと判定した場合は、ステップＳ２６１に進む。ステップＳ２６１では、異常監視部１３２は、コントローラ１０３に対して異常状態情報、すなわち制御系負荷１６１の異常であることを示す情報を出力し、コントローラ１０３が入力情報に基づいてディスプレイ１０４に異常情報、すなわち制御系負荷異常であることを示す情報を表示する。
【０１２１】
ステップＳ２０４で異常が継続していないと判定した場合は、ステップＳ２０５に進む。ステップＳ２０５では、異常監視部１３２が、電源回路ｂ１１２の入出力段のスイッチ素子（ＳＷ３）１１５、スイッチ素子（ＳＷ６）１５２をオンする制御信号をスイッチＯＮ／ＯＦＦ回路１３３に対して出力し、スイッチＯＮ／ＯＦＦ回路１３３は、制御信号に基づいて、電源回路ｂ１１２の入出力段のスイッチ素子（ＳＷ３）１１５、スイッチ素子（ＳＷ６）１５２をオンとする。
【０１２２】
ステップＳ２０６では、この状態で異常が継続しているか否かを判定する。この異常判定は、動作検出部１２０からの検出信号を入力する異常監視部１３２が入力する各検出信号に基づいて判定する。
【０１２３】
ステップＳ２０６で異常が継続していると判定した場合は、ステップＳ２０７に進む。ステップＳ２０７では、異常監視部１３２が、電源回路ｂ１１２の出力段のスイッチ素子（ＳＷ６）１５２をオフする制御信号をスイッチＯＮ／ＯＦＦ回路１３３に対して出力し、スイッチＯＮ／ＯＦＦ回路１３３は、制御信号に基づいて、電源回路ｂ１１２の出力段のスイッチ素子（ＳＷ６）１５２をオフとする。
【０１２４】
ステップＳ２０８では、この状態で異常が継続しているか否かを判定する。この異常判定は、動作検出部１２０からの検出信号を入力する異常監視部１３２が入力する各検出信号に基づいて判定する。
【０１２５】
ステップＳ２０８で異常が継続していると判定した場合は、ステップＳ２０９に進む。ステップＳ２０９では、異常監視部１３２が、電源回路ｂ１１２の入力段のスイッチ素子（ＳＷ３）１１５をオフする制御信号をスイッチＯＮ／ＯＦＦ回路１３３に対して出力し、スイッチＯＮ／ＯＦＦ回路１３３は、制御信号に基づいて、電源回路ｂ１１２の入力段のスイッチ素子（ＳＷ３）１１５をオフとする。
【０１２６】
次に、ステップＳ２１０で、異常監視部１３２は、コントローラ１０３に対して異常状態情報、すなわちメイン（主）電源、すなわち電源回路ｂ１１２の異常であることを示す情報を出力し、コントローラ１０３が入力情報に基づいてディスプレイ１０４に異常情報、すなわちメイン（主）電源異常であることを示す情報を表示する。
【０１２７】
ステップＳ２０８で異常が継続していないと判定した場合は、ステップＳ２７１に進む。ステップＳ２７１で、異常監視部１３２は、コントローラ１０３に対して異常状態情報、すなわち駆動系負荷１６２の異常であることを示す情報を出力し、コントローラ１０３が入力情報に基づいてディスプレイ１０４に異常情報、すなわち駆動系負荷であることを示す情報を表示する。
【０１２８】
ステップＳ２０６で異常が継続していないと判定した場合は、ステップＳ２４１に進む。ステップＳ２４１では、異常監視部１３２が、電源回路ｃ１１２の入力段のスイッチ素子（ＳＷ４）１１６をオンする制御信号をスイッチＯＮ／ＯＦＦ回路１３３に対して出力し、スイッチＯＮ／ＯＦＦ回路１３３は、制御信号に基づいて、電源回路ｃ１１３の入力段のスイッチ素子（ＳＷ４）１１６をオンとする。
【０１２９】
ステップＳ２４２では、この状態で異常が継続しているか否かを判定する。この異常判定は、動作検出部１２０からの検出信号を入力する異常監視部１３２が入力する各検出信号に基づいて判定する。
【０１３０】
ステップＳ２４２で異常が継続していると判定した場合は、ステップＳ２４４で、異常監視部１３２は、コントローラ１０３に対して異常状態情報、すなわち電源回路ｃの負荷である定着装置の異常であることを示す情報を出力し、コントローラ１０３が入力情報に基づいてディスプレイ１０４に異常情報、すなわち定着装置異常であることを示す情報を表示し、ステップＳ２４５において電源回路ｃ１１３の入力段のスイッチ素子（ＳＷ４）１１６をオフとして処理を終了する。
【０１３１】
ステップＳ２４２で異常が継続していないと判定した場合は、ステップＳ２４３に進む。ステップＳ２４３では、異常監視部１３２が実行した異常判定処理結果として、異常個所が発見されず、異常監視部における異常判定エラーである。すなわち誤動作であると判断し、異常監視部１３２は、コントローラ１０３に対して異常状態情報、すなわち誤動作であることを示す情報を出力し、コントローラ１０３が入力情報に基づいてディスプレイ１０４に誤動作であることを示す情報を表示する。
【０１３２】
次に、ステップＳ２０１おいて、漏電と判定された場合の処理について、図６のフローを参照して説明する。
【０１３３】
ステップＳ３０１において、異常監視部１３２は、電源回路ｂ１１２および電源回路ｃ１１３の前段のスイッチ素子（ＳＷ３）１１５、スイッチ素子（ＳＷ４）１１６をオフする制御信号をスイッチＯＮ／ＯＦＦ回路１３３に対して出力し、スイッチＯＮ／ＯＦＦ回路１３３は、制御信号に基づいて、電源回路ｂ１１２および電源回路ｃ１１３の前段のスイッチ素子（ＳＷ３）１１５、スイッチ素子（ＳＷ４）１１６をオフとする。
【０１３４】
次にステップＳ３０２では、この状態で漏電が継続しているか否かを判定する。この異常判定は、動作検出部１２０からの検出信号を入力する異常監視部１３２が入力する漏電検出信号に基づいて判定する。
【０１３５】
ステップＳ３０２で漏電が継続していない判定した場合は、ステップＳ３０３に進む。ステップＳ３０３では、異常監視部１３２が、電源回路ｃ１１３の入力段のスイッチ素子（ＳＷ４）１１６をオンする制御信号をスイッチＯＮ／ＯＦＦ回路１３３に対して出力し、スイッチＯＮ／ＯＦＦ回路１３３は、制御信号に基づいて、電源回路ｃ１１３の入力段のスイッチ素子（ＳＷ４）１１６をオンとする。
【０１３６】
ステップＳ３０４では、この状態で異常が継続しているか否かを判定する。この異常判定は、動作検出部１２０からの検出信号を入力する異常監視部１３２が入力する各検出信号に基づいて判定する。
【０１３７】
異常が継続していると判定した場合は、ステップＳ３２１に進む。ステップＳ３２１では、異常監視部１３２は、コントローラ１０３に対して異常状態情報、すなわち電源回路ｃ１１３の負荷である定着装置の漏電であることを示す情報を出力し、コントローラ１０３が入力情報に基づいてディスプレイ１０４に異常情報、すなわち定着装置の漏電であることを示す情報を表示する。
【０１３８】
次にステップＳ３２２において、異常監視部１３２は、電源回路ｃ１１３の入力段のスイッチ素子（ＳＷ４）１１６をオフする制御信号をスイッチＯＮ／ＯＦＦ回路１３３に対して出力し、スイッチＯＮ／ＯＦＦ回路１３３は、制御信号に基づいて、電源回路ｃ１１３の入力段のスイッチ素子（ＳＷ４）１１６をオフとする。
【０１３９】
ステップＳ３０４で異常が継続していないと判定した場合は、ステップＳ３０５に進む。ステップＳ３０５において、異常監視部１３２は、電源回路ｂ１１２の入力段のスイッチ素子（ＳＷ３）１１５をオンする制御信号をスイッチＯＮ／ＯＦＦ回路１３３に対して出力し、スイッチＯＮ／ＯＦＦ回路１３３は、制御信号に基づいて、電源回路ｂ１１２の入力段のスイッチ素子（ＳＷ３）１１５をオンとする。
【０１４０】
ステップＳ３０６では、この状態で異常が継続しているか否かを判定する。この異常判定は、動作検出部１２０からの検出信号を入力する異常監視部１３２が入力する各検出信号に基づいて判定する。
【０１４１】
異常が継続していると判定した場合は、ステップＳ３０７に進む。ステップＳ３０７では、異常監視部１３２は、コントローラ１０３に対して異常状態情報、すなわちメイン（主）電源、すなわち電源回路ｂ１１２の異常であることを示す情報を出力し、コントローラ１０３が入力情報に基づいてディスプレイ１０４に異常情報、すなわちメイン（主）電源異常であることを示す情報を表示する。
【０１４２】
次にステップＳ３０８において、異常監視部１３２は、電源回路ｂ１１２の入力段のスイッチ素子（ＳＷ３）１１５をオフする制御信号をスイッチＯＮ／ＯＦＦ回路１３３に対して出力し、スイッチＯＮ／ＯＦＦ回路１３３は、制御信号に基づいて、電源回路ｂ１１２の入力段のスイッチ素子（ＳＷ３）１１５をオフとする。
【０１４３】
ステップＳ３０６で漏電が継続していないと判定した場合は、ステップＳ３３１に進む。ステップＳ３３１では、異常監視部１３２が実行した漏電判定処理結果として、漏電個所が発見されず、異常監視部における異常判定エラーである。すなわち誤動作であると判断し、異常監視部１３２は、コントローラ１０３に対して異常状態情報、すなわち誤動作であることを示す情報を出力し、コントローラ１０３が入力情報に基づいて誤動作情報を記憶し、ディスプレイ１０４に誤動作であることを示す情報を表示する。
【０１４４】
ステップＳ３０２において、漏電が継続していると判定された場合は、ステップＳ３１１において、異常監視部１３２は、コントローラ１０３に対して異常状態情報、すなわち漏電発生であることを示す情報を出力し、コントローラ１０３が入力情報に基づいてディスプレイ１０４に異常情報、すなわち漏電発生を示す情報を表示する。
【０１４５】
さらに、ステップＳ３１２において、異常監視部１３２は、電源装置入力段のリセットスイッチ（ＳＷ１）１０２をオフする制御信号をリセットスイッチ駆動回路１３１に対して出力し、リセットスイッチ駆動回路１３１は、制御信号に基づいて、電源装置入力段のリセットスイッチ（ＳＷ１）１０２をオフとする。
【０１４６】
以上、図５、図６を参照して説明した異常判定処理シーケンスによって、複数の電源回路のどの部分にどのような異常が発生しているかを判定し、判定結果に基づいて、異常発生箇所に対する電力供給を遮断するので、電力遮断が必要な部分のみの電力遮断処理が可能となる。さらにコントローラを介して異常状態情報をディスプレイ表示することで、ユーザまたはオペレータは、新たな異常個所検出処理を実行することなく異常の発生箇所を知ることが可能となり、修理等の対応措置を迅速に実行することが可能となる。
【０１４７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１４８】
【発明の効果】
以上、記述したように本発明の電源装置によれば、漏電、電圧、電流異常、温度異常等の各種の動作検出部を電源回路および負荷等、各箇所に設定し、異常監視部が動作検出部からの検出信号に基づいて異常と判定した場合に異常判定処理シーケンスを実行し、この異常判定処理シーケンスにおいて電源装置の電源入力段のリセットスイッチおよび各電源回路の入力段または出力段に設けたスイッチ素子の選択的なＯＮ／ＯＦＦ制御を実行して異常発生箇所を特定する処理を実行する構成としたので、ユーザまたはオペレータによる異常の発生箇所の検出処理を新たに実行することなく、異常発生箇所の特定が可能となり、最適な電源遮断および異常通知を行うことが可能となる。
【０１４９】
さらに、本発明の構成によれば、動作検出部、異常監視部等に対する電力を既存の電源回路から出力する構成としたので、異常監視部に対する独自の電源供給構成を設ける必要がなくなりコストダウン、省エネが実現される。
【０１５０】
さらに、本発明の構成によれば、異常判定処理シーケンスにおいて電源装置の電源入力段のリセットスイッチおよび各電源回路の入力段または出力段に設けたスイッチ素子の選択的なＯＮ／ＯＦＦ制御を実行して異常発生箇所の特定処理を実行して、異常発生箇所に関連するスイッチを遮断する構成としたので、確実に異常部位に対応する電源供給路を遮断することが可能となり、安全性が高い電源装置が実現される。
【図面の簡単な説明】
【図１】本発明の電源装置の構成例を示す図である。
【図２】本発明の電源装置の構成例における具体的回路構成例を示す図である。
【図３】本発明の電源装置の構成例における具体的回路構成例を示す図である。
【図４】本発明の電源装置における立ち上げ、動作処理シーケンスを説明するフローチャートを示す図である。
【図５】本発明の電源装置における異常判定処理シーケンスを説明するフローチャートを示す図である。
【図６】本発明の電源装置における異常判定処理シーケンスを説明するフローチャートを示す図である。
【図７】従来の電源装置の構成例を示す図である。
【符号の説明】
１０１  入力端子、１０２  リセットスイッチ、
１０３  コントローラ、１０４  ディスプレイ
１１０  電源装置、  １１１  電源回路ａ（待機用電源）、
１１２  電源回路ｂ（通常動作用電源）、１１３  電源回路ｃ
１１４，１１５，１１６  スイッチ素子
１２０  動作検出部、１２１  漏電検出部
１２２  電流検出部、１２３  電圧検出部
１２４  異常検出部、１３１  リセットスイッチ駆動回路
１３２  異常監視部、１３３  スイッチＯＮ／ＯＦＦ回路
１４１，１４２，１４３  ダイオード
１５１，１５２  スイッチ素子
１６１  制御系負荷、１６２  駆動系負荷
３０１  入力端子、  ３０３  零相変流器
３０４  サーキットブレーカ
３１０  電源回路、３１１  入力フィルタ
３１２  １次整流平滑回路、３１３  トランス
３１４  制御回路、３１５  スイッチング素子
３１６  ２次整流平滑回路、３２０  電源回路ｂ
３３０  電源回路ｃ、３５１  リセットスイッチ駆動回路
３５２  漏電検出部、３５３  電流検出部、３５４  電圧検出部
３５５  異常検出部、３５６  スイッチＯＮ／ＯＦＦ回路
３５７  カレントトランス、３７１  リセットスイッチ
３７２〜３７６  スイッチ素子、３８１  制御系負荷
３８２  駆動系負荷、４１１  オペアンプ、４１２  フォトカプラ
４２１  ダイオード、４２２  抵抗
４３１  オペアンプ、４４１  ダイオード
４４２  抵抗、４５１  ツェナーダイオード
４５２  フォトカプラ、
５０１  入力端子、５０２  電源スイッチ
５０３，５０４  スイッチ素子、５１１  電源回路ａ
５１２  電源回路ｃ、５１３  ＡＣ電力調整回路
５２０  コントローラ、５２１  異常監視部
【図１】
2004282893.tif 000003
【図２】
2004282893.tif 000004
【図３】
2004282893.tif 000005
【図４】
2004282893.tif 000006
【図５】
2004282893.tif 000007
【図６】
2004282893.tif 000008
【図７】
2004282893.tif 000009